(57)【特許請求の範囲】
【請求項１】
屋内空間部の間仕切り用又は防球用として形成された吊り張り本体と、該吊り張り本体を吊り張りすべく両側面側にそれぞれ設けられ近傍の滑車を介して移動する移動用ロープ体とから構成されている屋内空間部用の吊り張り体において、前記移動用ロープ体が屋内空間部の両側面側より床面側に引き出し移動する及び床面側より巻き取り移動する際、前記移動用ロープ体の各移動方向を床面側より二階の手摺部分に沿って左右方向に移動可能に取り付け間接的に補助する補助滑車が位置調整自在に設けられていることを特徴とする屋内空間部用の吊り張り体。
【請求項２】
屋内空間部に間仕切り用又は防球用として吊り張りするために側面間と略同形状に吊り張り本体を形成し、該吊り張り本体を吊り張りすべく対向する側面間に移動用ロープ体を取り付けた後、該移動用ロープ体を近傍の滑車を介して引き出し移動して前記吊り張り本体を連結し、巻き取り移動して側面間に吊り張りする屋内空間部用の吊り張り体の吊り張り方法において、前記移動用ロープ体を床面側に引き出し移動又は床面側より巻き取り移動する際、前記移動用ロープ体の各移動方向を補助する補助滑車を床面側より二階の手摺部分に沿って左右方向に移動自在に設置するとともに前記移動用ロープ体の設置位置に応じて手摺部分に沿って左右方向に位置調整した後、前記移動用ロープ体の引き出し移動及び巻き取り移動を補助しながら間接的に前記吊り張り本体を吊り張りすることを特徴とする屋内空間部用の吊り張り体の吊り張り方法。
【発明の詳細な説明】
【技術分野】
【０００１】本願発明は、球技等で使用する屋内空間部を複数に間仕切りする間仕切り用又は使用するスペースの外周に沿って防球用として、側面間に吊り張りする屋内空間部の吊り張り体、及び屋内空間部の吊り張り体の吊り張り方法に関する。
【背景技術】
【０００２】従来、ハンドボール、バレーボール、フットサル等で使用するメインアリーナ、サブアリーナを有する屋内空間部では、メインアリーナ、サブアリーナを複数に区画して、同時に複数の試合を行っている。【０００３】前記各アリーナを複数に区画する際、ネットで形成された吊り張り本体を区画する側面間にそれぞれ設置された移動用ロープ体に連結し、該吊り張り本体を側面間に吊り張りすることで間仕切りし屋内空間部を複数に区画している。【０００４】また、特にフットサルで使用する場合は脚を使用してボールを蹴るために、使用するメインアリーナ、又はサブアリーナの周辺に沿って吊り張り本体を吊り張りすることで防球用として使用する。【０００５】前記アリーナに防球用として吊り張り本体を使用する際、吊り張り本体を床面側の外周に沿ってそれぞれ架け渡された移動用ロープ体を用いて吊り張り本体を吊り張り、又は対向する側面に沿って架け渡す移動用ロープ体を用いて吊り張り本体を吊り張りする。
【発明が解決しようとする課題】
【０００６】しかしながら、前記従来の間仕切り又は防球用として吊り張り本体を使用する場合は、側面間の両側に取り付けたウインチを介してそれぞれ移動用ロープ体を引き出し移動するために、前記移動用ロープ体の先端側に取り付けられ、前記吊り張り本体の両端側と連結する連結部が上方側より床面側に落下するように移動するために床面側では前記連結部に直接当接する等の危険を伴う欠点があった。
【０００７】また、移動用ロープ体の引き出し移動時に該移動用ロープ体の先端側の連結部が屋内空間部の側面等に接触して側面を破損又は傷つける等の欠点もあった。
【０００８】さらに、吊り張り本体を移動用ロープ体に連結した後、該移動用ロープ体を巻き取り移動する際、吊り張り本体の荷重が移動用ロープ体に直接かかるために、前記移動用ロープ体と接触すると怪我等の危険が大きいという欠点があった。
【０００９】特に、メインアリーナ、サブアリーナを有する規模の大きい屋内空間部においては、移動用ロープ体を引き出し移動及び巻き取り移動するウインチが床面側より高い位置に設置されているために、床面側までの距離が高くなり、上記各危険の度合いが高くなるという大きな問題点があった。
【００１０】そこで本願発明は、移動用ロープ体の引き出し移動及び巻き取り移動がスムーズに安全に行うことができ、あらゆる大きさ、形状を有する吊り張り本体を適切に広げた状態で吊り張り移動することのできる屋内空間部の吊り張り体、及び屋内空間部の吊り張り体の吊り張り方法を提供することを課題とする。
【課題を解決するための手段】
【００１１】上記課題を解決する手段としての屋内空間部用の吊り張り体は請求項１に記載のように屋内空間部の間仕切り用又は防球用として形成された吊り張り本体と、該吊り張り本体を吊り張りすべく両端側にそれぞれ設けられ近傍の滑車を介して移動する移動用ロープ体とから構成されている屋内空間部用の吊り張り体において、前記移動用ロープ体が屋内空間部の両側面側より床面側に引き出し移動及び床面側より巻き取り移動する際、前記移動用ロープ体の各移動方向を床面側より二階の手すり部分に沿って左右方向に移動可能に取り付け間接的に補助する補助滑車が位置調整自在に設けられていることを特徴とする。
【００１２】また、上記課題を解決する手段としての屋内空間部用の吊り張り体の吊り張り方法は、請求項２に記載のように、屋内空間部に間仕切り用又は防球用として吊り張りするために側面間と略同形状に吊り張り本体を形成し、前記吊り張り本体を吊り張りすべく対向する側面間に移動用ロープ体を取り付けた後、該移動用ロープ体を近傍の滑車を介して引き出し移動して前記吊り張り本体を連結し巻き取り移動して側面間に吊り張りする屋内空間部用の吊り張り体の吊り張り方法において、前記移動用ロープ体を床面側に引き出し移動及び床面側より巻き取り移動する際、前記移動用ロープ体の移動方向を補助する補助滑車を床面側より二階の手摺部分に沿って左右方向に移動自在に設置するとともに前記移動用ロープ体の設置位置に応じて手摺部分に沿って左右方向に位置調整した後、前記移動用ロープ体の引き出し移動及び巻き取り移動を間接的に補助しながら前記吊り張り本体を吊り張りすることを特徴とする。
【発明の作用効果】
【００１３】本願発明の屋内空間部の吊り張り体、及び屋内空間部の吊り張り体の吊り張り方法の作用効果を説明する。
【００１４】先ず、請求項１に記載の屋内空間部の吊り張り体は、間仕切り用又は防球用として使用する側面間の形状に応じて形成（側面間を適切に閉塞できる形状に形成）された吊り張り本体（ネット体で構成）と、前記両側面側に設置（天井近傍の側側壁部分等に設置）された移動用ロープ体（手動、又は電動方式のウインチで移動）とから構成されている。
【００１５】前記移動用ロープ体のそれぞれの下方側では、床面側より二階の手摺部分に沿って左右方向に前記移動用ロープ体の各移動方向を補助する補助滑車が位置調整自在に設けられている。
【００１６】前記補助滑車は前記移動用ロープ体を近傍の滑車を介して引き出し移動及び巻き取り移動する際、前記手摺部分に取り付けられた補助滑車を介して前記移動用ロープ体を補助しながら間接的に床面側に移動及び床面側より移動でき、スムーズな移動用ロープ体の引き出し移動及び巻き取り移動ができる。
【００１７】即ち、移動用ロープ体の引き出し移動時は、補助滑車を介して間接的に移動方向を補助しながら床面側に前記移動用ロープ体を移動することができる。
【００１８】また、移動用ロープ体を巻き取り移動時は、連結部を介して連結した吊り張り本体の荷重を、補助滑車を介して二階の手摺部分で間接的に支持するとともにその移動方向を補助しながら上方側に前記移動用ロープ体を移動することができる。
【００１９】このように本願発明の屋内空間部用の吊り張り体は、移動用ロープ体の各移動方向を間接的に補助しながら移動でき、スムーズに移動用ロープ体を移動し側面間に適切に吊り張り本体を吊り張りすることができる。
【００２０】また、吊り張り本体を側面間に沿って安全に吊り張り移動することができる。
【００２１】次に、請求項２に記載の屋内空間部の吊り張り体の吊り張り方法は、間仕切り用又は防球用として使用する側面間の同形状（側面間を閉塞できる形状）に応じて吊り張り本体を形成し、前記両側面側にそれぞれ設けられた（天井側近傍の高い位置）移動用ロープ体（手動又は電動方式のウインチを用いて移動）を前記吊り張り本体の両端上部側に連結する。
【００２２】前記移動用ロープ体に前記吊り張り本体を連結する際、補助滑車を床面より二階の手摺部分に設置するとともに前記移動用ロープ体の設置位置に応じて左右方向に位置調整を行って取り付けることで、前記移動用ロープ体の移動方向を補助滑車で間接的に補助しながら引き出し移動でき、床面側にスムーズに引き出し移動ができ、前記吊り張り本体と確実に連結できる。
【００２３】前記移動用ロープ体と前記吊り張り本体との連結は、前記移動用ロープ体の先端側に取り付けられた連結部を、前記吊り張り本体の上端側に沿ってリング環等で取り付けられた吊り張り用ロープ体の両端側とそれぞれ連結することで、容易に前記移動用ロープ体と前記吊り張り本体とを連結することができる。
【００２４】次に、前記移動用ロープ体に連結された吊り張り本体は、前記移動用ロープ体の移動方向を補助滑車で間接的に補助しながら巻き取り移動でき、適切に側面間に前記吊り張り本体を吊り張りすることができる。
【００２５】この際、前記移動用ロープ体には吊り張り本体の荷重がかかった状態となるが、補助手段を用いることで間接的に前記移動用ロープ体を上方側に移動することができる。
【００２６】このように、本願発明の屋内空間部の吊り張り体の吊り張り方法は、安全に吊り張り本体をロープ体に連結することができ、スムーズな吊り張りを可能とする。
【００２７】また、移動用ロープ体のスムーズな移動が可能であり、作業効率を格段に向上することができる。
【発明を実施するための最良の形態】
【００２８】本願発明の屋内空間部の吊り張り体、及び屋内空間部の吊り張り体の吊り張り方法の一実施例について図面を利用して説明する。【００２９】図１は本願発明の屋内空間部の吊り張り体の一実施例を示す概略説明平面図であり、図２は補助手段の一実施例を示す概略説明側面図であり、図３は屋内空間部の吊り張り体の吊り張り状態を示す概略説明平面図であり、図４及び図５は屋内空間部の吊り張り体の他実施例を示す概略説明平面図であり、図６及び図７は補助手段の他実施例を示す概略説明平面図であり、図８は補助手段の他実施例を示す概略説明一部断面平面図である。【００３０】図９は本願発明の屋内空間部の吊り張り体の吊り張り方法を示すフローチャートである。【００３１】本願発明の屋内空間部の吊り張り体１は、間仕切りする（又は防球用として使用する）屋内空間部の側面間の形状（側面間を適切に閉塞できる形状）に応じてネット体で形成された吊り張り本体２と、前記吊り張り本体２の両端上部側に連結すべく前記両側面間の上端側（天井面に近接する高所）に設置されている各種ウインチ３（手動式又は電動式、巻き取り方式又はエンドレス方式）及び前記ウインチ３近傍に取り付けられた滑車（図示せず）を介して引き出し移動及び巻き取り移動する移動用ロープ体４とから構成されている。【００３２】前記吊り張り本体２は左右両端部側に沿って及び上下両端側に沿って形状を維持するための補強用ロープ体５が取り付けられ、且つ前記吊り張り本体２の上端側には所望の間隔を有して複数個のリング環６が取り付けられ、しかも前記リング環６には吊り張り本体２の上端側より延長して吊り張り用ロープ体７が挿通されている。【００３３】前記吊り張り用ロープ体７の両端側には、前記移動用ロープ体４の先端側に取り付けられた連結部８に連結可能な連結具９が設けられている。【００３４】尚、前記吊り張り用ロープ体７と前記吊り張り本体２との連結は上記リング環６を介した連結に限定されるものでなく、吊り張り本体２の上端側を筒状に形成し、該筒状部分１０に吊り張り用ロープ体７を挿通する構成でもよく、また、吊り張り本体２の上端側に吊り張り用ロープ体７を固定状態で取り付けることも可能である。【００３５】また、前記吊り張り用ロープ体７の長さも前記吊り張り本体２の上端側より延長する長さに限定されるものでなく、前記吊り張り本体２の上端側と略同一の長さに形成することも可能である。【００３６】また、前記吊り張り本体２の上端側の両端に固定用の紐状体１１を取り付け、前記ロープ体４に連結することで吊り張り本体２を広げた状態での吊り張りを維持することができる。【００３７】前記移動用ロープ体４の先端側に取り付けられた連結部８は、下方側に移動するための所望の重量を有する筒状等の錘体（図示せず）と連結リング環（図示せず）とから構成されている。【００３８】これにより、前記移動用ロープ体４の下方側への引き出し移動が錘体の自重を利用してスムーズに行え、また吊り張り用ロープ体７との連結が連結リング環で容易に連結できる。【００３９】前記移動用ロープ体４は、床面より所望の高さ（上下方向に位置調整）位置で且つ前記ウインチ３の設置位置に応じて左右方向に位置調整された位置に設置（例えば、屋内空間部の二階部分の手摺部分に設置）されている補助手段としての補助滑車１２を介して移動方向を補助しながら床面側に間接的に引き出し移動、及び前記補助滑車１２を介して移動方向を補助しながら床面側より間接的に巻き取り移動することで、前記吊り張り本体２をスムーズに側面間に沿って吊り張り移動することができる。【００４０】前記補助滑車１２は実施例では２階の手摺部分に沿って取り付けることで、取り付け位置を確実に確保することができ、また手摺部分に沿って左右方向に移動可能に取り付けることで前記移動用ロープ体４との位置調整を行うことができる。【００４１】また、前記補助滑車１２の取り付け位置は上記手摺部分に限定されるものでなく、手摺部分を支持する支持部分に取り付けることで、上下方向の位置調整を行うように構成することも可能である。【００４２】さらに、屋内空間部の形状に応じて側壁、又は支柱部分に取り付けすることも可能である。【００４３】さらに、補助手段は上記補助滑車１２に限定されるものでなく、例えば一対のロール体１２Ａを用いて移動用ロープ体４を押圧移動すべく構成することで、前記移動用ロープ体４の移動方向をさらに適切に補助することも可能である。このように、本願発明において補助手段は移動用ロープ体４の引き出し移動及び巻き取り移動を補助できる構成であればその構成は特に問うものでない。【００４４】本願発明の屋内空間部の吊り張り体１は上記のように構成され、次に、屋内空間部特にメインアリーナとして使用される大空間部の室内で複数に間仕切りする場合について説明する。【００４５】先ず、メインアリーナの対向する側面間の上端側（天井側近傍の位置）に所望の間隔（空間部を使用目的に応じて間仕切りする間隔）を有して複数個のウインチ３を設置し、該ウインチ３の近傍に滑車（図示せず）を取り付けする。【００４６】これにより、先端側に連結部８の取り付けられた移動用ロープ体４を巻き取り移動した状態で対向する側面に複数個配置することができる。【００４７】そして、メインアリーナを使用する球技の種類に応じて、また、区画する面積（コートの大きさ）に応じて、それぞれ対応する位置に設置されたウインチ３より移動用ロープ体４を連結部８の錘体部分の自重を利用して床面側に引き出し移動する。【００４８】この際、前記引き出し移動する移動用ロープ体４の下方側で床面側より所望の高さ位置（二階部分の観客席の前に設置された手摺部分）に位置調整した補助滑車１２をさらに左右方向の位置調整を行い前記移動用ロープ体４の真下に設置する。【００４９】前記補助滑車１２を介して前記移動用ロープ体４の引き出し方向を補助しながら間接的に床面側に移動することで、屋内空間部の側面に前記移動用ロープ体４の先端側の連結部８が当接することなく、また、直接床面側に前記連結部８が落下することなく移動することができる。【００５０】このように、前記移動用ロープ体４の引き出し移動を安全に、且つスムーズに行うことができる。【００５１】次に、間仕切りする側面間の形状（側面間を適切に閉塞できる形状、例えば、床面側より移動用ロープ体４の上下方向間及び床面の設けられた部分に対応する左右方向間等）に応じてネット体を用いて吊り張り本体２を形成し、該吊り張り本体２の上端側の補強用ロープ体４を利用してリング環６を所望の間隔を有して取り付け、該リング環６に吊り張り用ロープ体７を挿通し両端側を吊り張り本体２より延長するとともに、前記吊り張り用ロープ体７の両端側に連結具９を取り付ける。【００５２】そして、前記吊り張り用ロープ体７の両端側の連結具９と、前記床面側に引き出し移動した移動用ロープ体４の連結部８とをそれぞれ連結する。【００５３】この際、前記吊り張り本体２の上端側にそれぞれ取り付けられた紐状体１１を前記移動用ロープ体４に連結することで、前記吊り張り本体２の取り付け位置を固定することができる。【００５４】その後、前記ウインチ３を駆動して前記移動用ロープ体４をそれぞれ巻き取り移動することで、前記吊り張り本体２を側面間に沿って吊り張りすることができる。【００５５】この際、前記移動用ロープ体４を引き出し移動した場合と同様に補助滑車１２を介して前記移動用ロープ体４の巻き取り方向を補助しながら間接的に移動するために、前記移動用ロープ体４をスムーズに移動することができる。【００５６】また、前記移動用ロープ体４に吊り張り本体２の荷重がかかった状態でも前記補助滑車１２で前記移動用ロープ体４を間接的に補助しなから移動するために、前記移動用ロープ体４をスムーズに巻き取り移動することができる。【００５７】上記側面間に吊り張りした吊り張り本体２は、前記紐状体１１により、荷重等による吊り張り用ロープ体７の中央部分方向への前記吊り張り本体２の移動が阻止され、適切に空間部に広げた状態を維持し、適切な屋内空間部の間仕切りを行うことができる。【００５８】また、前記吊り張り本体２をスムーズに床面側又は空間部に移動することができ、安全に吊り張り作業を行うことができる。【００５９】このように、本願発明の屋内空間部の吊り張り体１はあらゆる空間部に対応して最適な間仕切りを行うことができ、その吊り張り作業も容易に行える。【００６０】尚、上記実施例では、対向する一方向の側面間に複数個のウインチ３を設置したが、ウインチ３の設置方向はこれに限定されるものでなく、全ての側面間にウインチ３を設置し、あらゆる方向の間仕切りとして使用することも可能である。【００６１】また、上記実施例では、吊り張り本体２を間仕切り用として使用したが、本願発明において屋内空間部の吊り張り体１の使用は、間仕切り用に限定されるものでなく、側面の近接した位置に並行して吊り張り本体２を吊り張りすることで、防球用として使用することも可能である。【００６２】さらに、上記実施例では、補助滑車１２をメインアリーナ部分の２階の手摺部分に沿って取り付けたが、本願発明において、補助滑車１２の取り付け位置はこれに限定されるものでなく、サブアリーナ等で２階部分のない場合は、側面に取り付けることで、ロープ体４の移動補助を行うことも可能である。
【図面の簡単な説明】
【００６３】
【図１】本願発明の屋内空間部の吊り張り体の一実施例を示す概略説明平面図
【図２】補助手段の一実施例を示す概略説明側面図
【図３】屋内空間部の吊り張り体の吊り張り状態を示す概略説明平面図
【図４】屋内空間部の吊り張り体の他実施例を示す概略説明平面図
【図５】屋内空間部の吊り張り体の他実施例を示す概略説明平面図
【図６】補助手段の他実施例を示す概略説明平面図
【図７】補助手段の他実施例を示す概略説明平面図
【図８】補助手段の他実施例を示す概略説明一部断面平面図
【図９】本願発明の屋内空間部の吊り張り体の吊り張り方法を示すフローチャート
【符号の説明】
【００６４】１…屋内空間部の吊り張り体、２…吊り張り本体、３…補助手段、４…移動用ロープ体
【図１】
0006842026.tif 000002
【図２】
0006842026.tif 000003
【図３】
0006842026.tif 000004
【図４】
0006842026.tif 000005
【図５】
0006842026.tif 000006
【図６】
0006842026.tif 000007
【図７】
0006842026.tif 000008
【図８】
0006842026.tif 000009
【図９】
0006842026.tif 000010